(57)【特許請求の範囲】
【請求項１】
発光部と、ユーザが前記発光部の発光状態に関する各種の設定を行うための設定部とを有する照明器具であって、
前記発光部から発せられる光の主出射方向を下とした場合に、
前記設定部を収容する設定部収容部と前記発光部を収容する発光部収容部が水平方向に隣接し、前記発光部収容部は、前記発光部の収納位置より下方に延びる拡径部分を有すると共に、前記設定部収納部は、下面パネルと、前記拡径部分に囲まれた空間との仕切りとなる側面パネルを有しており、
前記設定部は、上下方向に沿って配置された回転軸と、前記回転軸に直交して配され、下面に前記複数の設定の１つにそれぞれ対応した複数の設定表示記号を有する板状の設定ダイヤルとを有し、
前記設定部収容部の下面パネルは、下方から見たとき前記設定ダイヤルの複数の前記設定表示記号のうち少なくとも１つの設定表示記号が視認可能な位置に第１開口が設けられると共に、前記側面パネルは、前記設定ダイヤルの側面が臨む部分に第２開口が設けられており、
前記第１開口と第２開口を覆う設定部カバーを有し、
前記設定部カバーを移動させて前記第１開口と第２開口を開放し、前記設定表示記号を視認しながら、前記設定ダイヤルを回転させることにより、前記発光部の発光状態に関する複数の設定から１つの設定が選択される
ことを特徴とする照明器具。
【請求項２】
前記設定ダイヤルは、前記側面に凹凸を有する
ことを特徴とする請求項１に記載の照明器具。
【請求項３】
前記設定部カバーは、前記下面パネルと前記側面パネルに接して前記第１開口と第２開口を覆う通常位置と前記第１開口と第２開口を開放して前記設定ダイヤルの操作可能な設定位置との間で移動可能である
ことを特徴とする請求項１または２に記載の照明器具。
【請求項４】
前記設定部は、明るさを検知する照度センサを有する
ことを特徴とする請求項１から３の何れか１項に記載の照明器具。
【請求項５】
前記設定部は、赤外線を検知する赤外線センサを有する
ことを特徴とする請求項１から４の何れか１項に記載の照明器具。
【請求項６】
前記設定部における前記選択された設定に基づいて、前記発光部の発光状態を制御する制御部を有する
ことを特徴とする請求項１から５の何れか１項に記載の照明器具。
【請求項７】
前記発光部及び前記設定部を保持する筐体を有し、
前記筐体が天井に取り付けられる
ことを特徴とする請求項１から６の何れか１項に記載の照明器具。
【請求項８】
前記発光部は、光源として半導体発光素子を有する
ことを特徴とする請求項１から７の何れか１項に記載の照明器具。
【発明の詳細な説明】
【技術分野】
【０００１】
本発明は、照明器具に関し、特に、各種設定を行うための設定部と光源を有する発光部とが一体に保持された照明器具に関する。
【背景技術】
【０００２】
従来、点灯や消灯の時間設定、明るさ設定等の各種設定を行うための設定部が、光源を有する発光部と一体に保持された照明器具が普及している。また、設定部には、スライドスイッチにより設定を行うものが広く用いられている（例えば、特許文献１）。
【先行技術文献】
【特許文献】
【０００３】
【特許文献１】特許第３８７９３８９号公報
【発明の概要】
【発明が解決しようとする課題】
【０００４】
発光部と設定部とが一体に保持された照明器具が、天井等に取り付けられて使用される、いわゆるダウンライトとして使用される場合がある。ダウンライトは高い位置に取り付けられているため、新たに設定を行う場合や、設定変更といった設定作業を行う場合に、ユーザは、往々にして脚立等の足場の上に乗って上を向いて作業しなくてはならず、設定作業が容易ではない。
【０００５】
本発明は、上記事由に鑑みてなされており、設定作業が容易な照明器具を提供することを目的とする。
【課題を解決するための手段】
【０００６】
本発明の照明器具は、発光部と、前記発光部に隣接し、ユーザが前記発光部の発光状態に関する各種設定を行うための設定部とを有する。前記設定部は、回転軸と、前記回転軸に直交して配され、前記回転軸を中心に回転可能な板状の設定ダイヤルとを有する。そして、前記設定ダイヤルの基準位置からの回転角度によって、前記発光部の発光状態に関する複数の設定から１の設定が選択されることを特徴とする。
【発明の効果】
【０００７】
本発明の照明器具の構成によると、設定ダイヤルを回すことにより指一本で設定作業を行うことができるため、スライドスイッチの場合と比較して、設定作業を容易に行うことができる。
【図面の簡単な説明】
【０００８】
【図１】実施形態に係る照明器具を斜め上から見た斜視図である。
【図２】同上の照明器具を斜め下から見た斜視図である。
【図３】同上の照明器具の図１及び図２におけるＡ−Ａ線で切断した断面図である。
【図４】同上の照明器具において設定部カバーが取り外された状態を斜め下から見た斜視図である。
【図５】同上の照明器具における設定ユニットを斜め上から見た斜視図である。
【図６】同上の照明器具における設定ユニットを斜め下から見た斜視図である。
【図７】同上の照明器具における設定ユニットの設定ユニットケースを分解した状態を示す一部分解斜視図である。
【図８】同上の照明器具における設定ユニット本体部の分解斜視図である。
【図９】同上の照明意器具における設定と設定表示記号との対応関係の一例を示す表である。（ａ）は、設置場所が屋内のトイレである場合の対応関係の一例を示す表である。（ｂ）は、設置場所が屋外の軒下である場合の対応関係の一例を示す表である。（ｃ）は、設置場所が屋内の多目的ルームである場合の対応関係の一例を示す表である。
【図１０】変形例に係る照明器具を斜め下から見た斜視図である。（ａ）は、設定部カバーが通常位置に位置している状態を示す斜視図である。（ｂ）は、設定部カバーが、通常位置から設定位置へと移動する途中の状態を示す斜視図である。（ｃ）は、設定部カバーが設定位置に位置している状態を示す斜視図である。
【発明を実施するための形態】
【０００９】
以下、実施形態について、図面を参照して詳細に説明する。なお、各図は、模式図であり、図面に示された部品等の各構成要素の形状や寸法および比等については、必ずしも厳密に図示したものではない。また、以下に説明する照明器具は、実施形態の一例に過ぎない。下記の実施形態に限定されることはなく、以下の実施形態以外であっても、技術的思想を逸脱しない範囲であれば、設計などに応じて種々の変更が可能である。
【００１０】
≪実施形態≫
［１．全体構成］
図１は、実施形態に係る照明器具１００を斜め上から見た場合の斜視図である。図２は、照明器具１００を斜め下から見た場合の斜視図である。図１及び図２に示すように、照明器具１００は、主な構成要素として、筐体１０、発光部２０、設定部３０、および取付部４０等を備える。発光部２０及び設定部３０は、筐体１０により一体に保持されている。照明器具１００は、取付部４０により、例えば、一般家屋やビルの天井などの造営材の埋込穴等に取り付けられて使用される、所謂ダウンライトである。
【００１１】
なお、埋込穴に挿入される側を上（各図面におけるＺ軸の矢印方向）、埋込穴に挿入される側の反対側であって、発光部２０からの光の主出射方向を下（各図面におけるＺ軸の矢印と反対方向）とする。ただし、当該規定された上下方向は、本実施形態の照明器具の使用状態を限定する趣旨ではない。
［２．各部構成］
（１）筐体１０
図３は、照明器具１００の図１及び図２におけるＡ−Ａ線で切断した断面図である。なお、図３においては、設定ユニット５０を１つの部材として断面を表示しており、内部を構成する各部材については、図示していない。設定ユニット５０を構成する各部材については、詳しくは後述する。図１及び図３に示すように、筐体１０は、発光部収容部１１及び設定部収容部１２からなる。
【００１２】
（１−１）発光部収容部１１
発光部収容部１１は、発光部収容本体部分１１ａ、拡径部分１１ｂ、フランジ１１ｃ、及びコネクタ収容部分１１ｄからなる。
発光部収容本体部分１１ａは、円筒状であって、内部に発光部２０が収容される。
拡径部分１１ｂは、筒状であって、発光部収容本体部分１１ａの下方に隣接して連続的に配置されており、反射面１１ｂ１を有する。反射面１１ｂ１は、拡径部分１１ｂの内周面であって、下方に向かうにつれて拡径している。
【００１３】
フランジ１１ｃは、一部が拡径部分１１ｂの下端から径外方向に張り出す態様で、連続的に配置されている。また、フランジ１１ｃは、残りの部分が設定部収容部１２の下端から径外方向に張り出す態様で、連続的に配置されており、全体として円環状である。
コネクタ収容部分１１ｄは、筒状であって、発光部収容本体部分１１ａの上方に隣接して連続的に配置されている。コネクタ収容部分１１ｄは、発光部２０と外部電源とを電気的に接続するための不図示のコネクタが収容されるコネクタ収容スペース１１ｂ１を有する。発光部収容本体部分１１ａ、拡径部分１１ｂ、フランジ１１ｃ、及びコネクタ収容部分１１ｄは、一体となっている。
【００１４】
（１−２）設定部収容部１２
設定部収容部１２は、図１に示すように、円筒を筒軸に平行な平面で切断したような半円筒状であって、内部に設定ユニット５０が収容される。
筐体１０は、発光部収容部１１と設定部収容部１２とが一体となって、同一の材料から形成されてもよい。筐体１０が形成される材料としては、例えば、アルミやステンレス等の金属、樹脂、セラミック等を用いることができる。
【００１５】
（２）発光部２０
発光部２０は、図３に示すように、主な構成要素として、光源モジュール２１、光源モジュールホルダ２２、放熱シート２３、パッキン２４、カバー２５を有する。
光源モジュール２１は、光源として半導体発光素子を有する。半導体発光素子としては、ＬＥＤ（Ｌｉｇｈｔ−ｅｍｉｔｔｉｎｇ  Ｄｉｏｄｅ）や、有機又は無機のＥＬ（Ｅｌｅｃｔｒｏ−ｌｕｍｉｎｅｓｃｅｎｃｅ）素子を用いることができる。
【００１６】
光源モジュールホルダ２２には、光源モジュール２１及び放熱シート２３が配置される。光源モジュールホルダ２２には、樹脂やセラミック等の電気絶縁性の材料が用いられる。
放熱シート２３は、熱伝導性を有する樹脂等の材料からなる。
発光部収容本体部分１１ａの一部であるマウント１１ａ１と、光源モジュールホルダ２２とで挟まれる態様で、光源モジュール２１及び放熱シート２３が保持される。即ち、当該保持された状態において、光源モジュール２１と放熱シート２３とは接しており、放熱シート２３とマウント１１ａ１とは接している。従って、光源モジュール２１で発生した熱は、放熱シート２３を介してマウント１１ａ１へと効率的に放熱される。
【００１７】
カバー２５は、両端が開口した円筒形の胴部２５ａと、胴部２５ａの下端を閉塞する放射パネル２５ｂとからなる。放射パネル２５ｂは、透光性を有し、アクリル樹脂等の樹脂やガラスといった透光性の材料で構成されている。胴部２５ａは、必ずしも透光性を有していなくてもよいが、胴部２５ａと放射パネル２５ｂとが一体に形成される場合には、透光性を有する同一の材料で形成されていてもよい。
【００１８】
光源モジュール２１、光源モジュールホルダ２２、及び放熱シート２３は、胴部２５ａ内に配置されている。
光源モジュールホルダ２２は、中央に開口２２ａを有する。光源モジュール２１は、開口２２ａ内に位置するように配置されており、光源モジュール２１から発せられた光は、開口２２ａを通って放射パネル２５ｂへと出射され、放射パネル２５ｂを介してさらに下方へと出射される。
【００１９】
なお、カバー２５は、フランジ１１ｃよりも上方に位置している。カバー２５の下方であって、拡径部分１１ｂの内側の空間は、下方空間１１ｂ２である。下方空間１１ｂ２は、何ら部材が配置されていない空の空間（ｅｍｐｔｙ  ｓｐａｃｅ）であって、下端が開口して外部と連通している。
パッキン２４は、胴部２５ａと発光部収容本体部分１１ａとの間に配置され、外部の湿気や埃等が発光部２０内に侵入するのを防止する。
【００２０】
（３）設定部３０
図３に示すように、設定部３０は、発光部２０に対して水平方向に隣接して配置されている。設定部３０は、設定ユニット５０、下面パネル３１、及び側面パネル３２を有する。
なお、本実施形態においては、水平方向とは、上下方向に直交する方向を表すものとするが、必ずしも厳密に直交していなくてもよく、多少傾いていてもよい。
【００２１】
設定ユニット５０は、筐体１０の設定部収容部１２に収容されている。
下面パネル３１は、設定部収容部１２の下端を閉塞する。
側面パネル３２は、発光部収容部１１と設定部収容部１２との間の仕切りの一部であって、下方空間１１ｂ２に面している。
図４に示すように、下面パネル３１及び側面パネル３２の一部は、取り外し可能な設定部カバー３３となっており、設定部カバー３３を取り外すと設定ユニット５０の一部が露出する。
【００２２】
なお、下面パネル３１、側面パネル３２、及び設定部カバー３３は、アルミやステンレス等の金属、樹脂、セラミック等の材料からなる。下面パネル３１、側面パネル３２、及び設定部収容部１２は設定部ケース本体３４を構成する。設定部ケース本体３４及び設定部カバー３３は、設定部ケース３５を構成する。
（３−１）設定ユニット５０
図５は、斜め上から見た設定ユニット５０の斜視図である。図６は、斜め下から見た設定ユニット５０の斜視図である。設定ユニット本体部５１が、設定ユニットケース５２内に収容されている。設定ユニットケース５２は、設定ユニットケース部分５２ａ、５２ｂからなる。設定ユニットケース５２は、樹脂やセラミック等の電気絶縁性の材料からなる。設定ユニットケース５２は、設定ユニット本体部５１の電気絶縁性を確保し、外部の湿気や埃等から設定ユニット本体部５１を保護するためのものである。
【００２３】
（３−２）設定ユニット本体部５１
図７は、設定ユニットケース部分５２ａ、５２ｂが分離され、設定ユニット本体部５１が露出した状態の設定ユニット５０を示す一部分解斜視図である。設定ユニット本体部５１は、基板５１ａ、設定ダイヤル部分５１ｂ、照度センサ部分５１ｃ、赤外線センサ部分５１ｄ、及びコネクタ５１ｅを有する。
【００２４】
図８は、設定ユニット本体部５１の分解斜視図である。
（３−２−１）基板５１ａ
基板５１ａは、設定ダイヤル部分５１ｂ、照度センサ部分５１ｃ、赤外線センサ部分５１ｄ、及びコネクタ５１ｅが取り付けられる基台としての機能を有する。
（３−２−２）設定ダイヤル部分５１ｂ
設定ダイヤル部分５１ｂは、ベース５１ｂ１、回転軸５１ｂ２、及び設定ダイヤル５１ｂ３からなる。ベース５１ｂ１は、基板５１ａの下面５１ａ１に固定されている。回転軸５１ｂ２は、基板５１ａの下面５１ａ１と直交するように、基板５１ａ及びベース５１ｂ１に対して回転可能に取り付けられている。回転軸５１ｂ２は、溝５１ｂ２ａを有する。なお、回転軸５１ｂ２は、基板５１ａに対して厳密に直交していなくてもよく、多少傾いていてもよい。
【００２５】
設定ダイヤル５１ｂ３は、円板状の部材であって、中心に貫通孔５１ｂ３ａを有する。貫通孔５１ｂ３ａに回転軸５１ｂ２が挿入されることにより、回転軸５１ｂ２に直交する態様で設定ダイヤル５１ｂ３が取り付けられている。なお、設定ダイヤル５１ｂ３は、回転軸５１ｂ２に対して厳密に直交していなくてもよく、多少傾いていてもよい。
設定ダイヤル５１ｂ３は、貫通孔５１ｂ３ａの縁に突起５１ｂ３ｂを有し、突起５１ｂ３ｂが回転軸５１ｂ２の溝５１ｂ２ａ内に位置するように設定ダイヤル５１ｂ３が回転軸５１ｂ２に取り付けられる。従って、設定ダイヤル５１ｂ３が回転されると、回転軸５１ｂ２も回転される。設定ダイヤル５１ｂ３の下面５１ｂ３ｃは、設定表示記号５１ｂ３ｄを複数有する。本実施形態においては、設定表示記号は、数字であるが、これに限られず、アルファベット、円や三角形等の図形、その他の記号が用いられてもよい。設定ダイヤル５１ｂ３の側面５１ｂ３ｅは、凹凸を有する。
【００２６】
なお、設定ダイヤル５１ｂ３は、円板状に限定されず、回転軸５１ｂ２の周りに回転可能であれば、平面視多角形の板状部材であってもよいし、平面視楕円形の板状部材であってもよい。
（３−２−３）照度センサ部分５１ｃ
照度センサ部分５１ｃは、照度センサ５１ｃ１、レンズホルダ５１ｃ２、及びレンズ５１ｃ３からなる。照度センサ５１ｃ１は、基板５１ａの下面５１ａ１に固定されており、光電変換素子等を有し、明るさを検知する。レンズ５１ｃ３は、設定ユニット５０外部からの光を照度センサ５１ｃ１へと効率よく導入するためのものである。レンズホルダ５１ｃ２は、レンズ５１ｃ３を照度センサ５１ｃ１の下方に保持する。
【００２７】
（３−２−４）赤外線センサ部分５１ｄ
赤外線センサ部分５１ｄは、赤外線センサ５１ｄ１、レンズ５１ｄ２、及びフィルタ５１ｄ３からなる。赤外線センサ５１ｄ１は、基板５１ａの下面５１ａ１に固定されており、赤外線を検知することにより人間の存在を検知する、いわゆる人感センサである。レンズ５１ｄ２は、赤外線センサ５１ｄ１の下方に配置され、設定ユニット５０外部からの赤外光を赤外線センサ５１ｄ１へと効率よく導入するためのものである。フィルタ５１ｄ３は、設定ユニット５０外部の光から赤外光以外を除去して、赤外光のみを効率よく赤外線センサ５１ｄ１へと導入するためのものである。
【００２８】
（３−２−５）コネクタ５１ｅ
コネクタ５１ｅは、発光部２０と接続するための不図示のコネクタが接続され、発光部２０を介して外部電力を受電する。また、コネクタ５１ｅを介して設定ユニット本体部５１から発光部２０へと信号が送信され、ユーザが選択した設定に応じた点灯状態が実現される。
【００２９】
なお、図５に示すように、設定ユニットケース５２は、上面に開口５２ｃを有し、設定ユニット本体部５１が設定ユニットケース５２内に収容されている状態において、開口５２ｃにコネクタ５１ｅが露出している。
また、図５及び図６に示すように、設定ユニットケース部分５２ａは、下面及び側面の一部にわたって開口５２ａ１を有する。設定ユニット本体部５１が設定ユニットケース５２内に収容されている状態において、開口５２ａ１に設定ダイヤル５１ｂ３の一部が露出している。設定ユニットケース部分５２ａの開口５２ａ１に臨む縁には、インディケータ５２ａ２が配置されており、選択されている設定表示記号５１ｂ３ｄを指し示す。そして、図４に示すように、設定部カバー３３が取り外された状態において、設定ダイヤル５１ｂ３、設定表示記号５１ｂ３ｄ、インディケータ５２ａ２が露出しており、複数の設定表示記号５１ｂ３ｄのうち少なくとも１つが下方から視認可能である。また、設定ダイヤル５１ｂ３の側面５１ｂ３ｅ（図８参照）は、下方空間１１ｂ２に臨んで露出している。
【００３０】
さらに、図４に示すように、下面パネル３１は、開口３１ａ及び開口３１ｂを有する。設定ユニット５０が設定部収容部１２（図３参照）に収容されている状態において、レンズ５１ｃ３（図８参照）が開口３１ａに露出し、フィルタ５１ｄ３（図８参照）が開口３１ｂに露出している。開口３１ａから外光がレンズ５１ｃ３に入射し、開口３１ｂから外光（赤外光）がフィルタ５１ｄ３に入射する。そして、パッキン５３（図７参照）は、下面パネル３１の開口３１ａを規定する縁部分とレンズ５１ｃ３との間に配置されている。パッキン５３は、レンズ５１ｃ３と下面パネル３１の開口３１ａを規定する縁部分と間の隙間から設定部収容部１２内に入った光が内部で反射して照度センサ５１ｃ１に入射するのを防止する。従って、照度センサ５１ｃ１は、設置環境の明るさをより正確に検知することができる。
【００３１】
そして、基板５１ａには不図示の回路配線が形成されており、制御部としての機能を有していてもよい。従って、設定ダイヤル５１ｂ３によりユーザが選択した設定及び、照度センサ５１ｃ１及び赤外線センサ５１ｄ１からの出力信号に基づいて、制御部（基板５１ａ）が発光部２０の点灯時間や明るさ等を制御してもよい。さらには、基板５１ａに、不図示の回路部品が配置されていてもよい。
【００３２】
なお、基板５１ａが制御部の機能を有する場合に限られず、制御部が発光部２０に配置されてもよい。
（４）取付部４０
取付部４０は、照明器具１００を天井等に取り付けるためのものであり、図１、図２に示すように、２個の取付部材４１からなる。取付部材４１は、側面視においてＬ字状に曲げられた金属製の板バネである。取付部材４１は、筐体１０の取付部材取付部１０ａに１つずつ取り付けられる。本実施形態においては、照明器具１００は、２つの取付部材４１により天井等に取り付けられる。従って、筐体１０は２個の取付部材取付部１０ａを有している。
【００３３】
そして、図１、２に示すように、取付部材取付部１０ａは、筐体１０の筒軸を中心として対称な位置に配置されている。本実施形態の場合は、筐体１０の筒軸は、フランジ１１ｃの円環の中心軸である。従って、照明器具１００が天井に取り付けられた場合に、取付部材４１による保持力がより均等に働き、照明器具１００が天井に取り付けられた状態がより安定して維持される。
【００３４】
なお、取付部４０を構成する取付部材４１の数は、２個に限られないが、複数個であることが好ましい。取付部材４１の数が３個以上の場合は、筐体１０の筒軸を中心として略等角度間隔に配置されていることが好ましい。また、複数の取付部材４１の配置は、略等角度間隔に限られないが、埋込穴に取り付けられた状態がより安定して維持されるように、取付部材４１は、できるだけ偏りなく配置されることが好ましい。
【００３５】
［３．設定作業］
次に、設定作業について説明する。
先ず、ユーザは、設定部カバー３３を取り外す。図２に示す設定部カバー３３が取り付けられた状態の設定部カバー３３の位置を通常位置Ｐ１とし、図４に示す設定部カバー３３が取り外された状態の設定部カバー３３の位置を設定位置Ｐ２とする。本実施形態においては、設定位置Ｐ２は、必ずしも図４に示す位置に限定されない。設定部カバー３３を取り外した後は、任意の場所に載置してよく、当該載置された場所が設定位置Ｐ２である。
【００３６】
設定部カバー３３が設定位置Ｐ２にある状態で、ユーザは、下方から指を伸ばして、設定ダイヤル５１ｂ３の側面５１ｂ３ｅ（図８参照）を指で回し、所望の設定を表す設定表示記号５１ｂ３ｄの位置をインディケータ５２ａ２に合わせる。
すると、設定ダイヤル５１ｂ３の回転に伴って回転軸５１ｂ２が回転する。設定ダイヤル５１ｂ３の基準位置からの回転角度と回転軸５１ｂ２の基準位置からの回転角度は等しい。よって、基板５１ａに形成された回路配線により回転軸５１ｂ２の基準位置からの回転角度を検出することにより、設定ダイヤル５１ｂ３の基準位置からの回転角度を検出することができる。従って、ユーザにより選択された設定表示記号５１ｂ３ｄを検出することができ、選択された設定表示記号５１ｂ３ｄに対応する設定に基づいて、発光部２０の点灯が制御される。
【００３７】
図９は、設定表示記号５１ｂ３ｄと各種設定との対応の一例を示す表である。図９（ａ）は、屋内のトイレに照明器具１００が設置されている場合の設定の一例を示す表である。図９（ｂ）は、屋外の軒下に照明器具１００が設置されている場合の設定の一例を示す表である。図９（ｃ）は、屋内の多目的ルーム、例えば、一般住居におけるリビングルームに照明器具１００が設置されている場合の設定の一例を示す表である。ユーザは、設定ダイヤル５１ｂ３を回転させて、所望の設定番号を示す設定表示記号５１ｂ３ｄをインディケータ５２ａ２に合わせる。例えば、ユーザが２番の設定を選択したい場合、ユーザは、設定ダイヤル５１ｂ３を回転させて、数字の２の設定表示記号５１ｂ３ｄをインディケータ５２ａ２に合わせる。すると、インディケータ５２ａ２に合わせられた設定表示記号５１ｂ３ｄの設定が選択され、当該選択された設定に従って、発光部２０の点灯が制御される。
【００３８】
設定の選択が終了すると、設定部カバー３３を再びかぶせる。即ち、設定部カバー３３を通常位置Ｐ１に戻す。すると、図２に示す状態となり、設定ダイヤル５１ｂ３が設定部カバー３３により隠されて美観を損なわない。
≪実施形態のまとめ≫
実施形態に係る照明器具１００は、発光部２０と、発光部２０に隣接し、ユーザが発光部２０の発光状態に関する各種設定を行うための設定部３０とを有する。設定部３０は、回転軸５１ｂ２と、回転軸５１ｂ２に直交して配され、回転軸５１ｂ２を中心に回転可能な設定ダイヤル５１ｂ３とを有する。そして、設定ダイヤル５１ｂ３の基準位置からの回転角度によって、発光部２０の発光状態に関する複数の設定から１つの設定が選択されることを特徴とする。
【００３９】
照明器具１００が上記のように構成されていることにより、設定ダイヤル５１ｂ３を回すことにより指一本で設定作業を行うことができ、スライドスイッチの場合と比較して、設定作業を容易に行うことができる。
実施形態に係る照明器具１００においては、発光部２０から発せられる光の主出射方向を下とした場合に、回転軸５１ｂ２は、上下方向に沿って配置されていてもよい。設定ダイヤル５１ｂ３は、前記複数の設定の１つにそれぞれ対応した複数の設定表示記号５１ｂ３ｄを下面５１ｂ３ｃに有してもよい。設定部３０は、設定ダイヤル５１ｂ３を収容する設定部ケース３５を有してもよい。設定部ケース３５は、設定部カバー３３と設定部ケース本体３４とからなってもよい。設定部カバー３３は、下から見た場合に、設定ダイヤル５１ｂ３の複数の設定表示記号５１ｂ３ｄのうち少なくとも１つが視認可能な設定位置Ｐ２と、視認不可能な通常位置Ｐ１との間で移動可能であってもよい。そして、設定部ケース本体３４は、少なくとも通常位置Ｐ１において設定部カバー３３を保持してもよい。
【００４０】
照明器具１００が上記のように構成されていることにより、設定部カバー３３を設定位置Ｐ２に位置させた状態で、設定作業を行うことができる。当該設定作業の実行時には、設定ダイヤル５１ｂ３の複数の設定表示記号５１ｂ３ｄのうち少なくとも１つが下から視認可能である。従って、照明器具１００が天井等の高い位置に設置されている場合であっても、ユーザは、設定表示記号を容易に視認することができるので、設定作業を容易に行うことができる。
【００４１】
実施形態に係る照明器具１００においては、設定部３０は、発光部２０に対して水平方向に隣接していてもよい。発光部２０の下端（放射パネル）２５ｂは、設定部３０の下端（下面パネル）３１よりも上方に位置していてもよい。設定部３０の側面（側面パネル）３２は、前記発光部２０の下方の空間（下方空間）１１ｂ２に露出していてもよい。設定部カバー３３が設定位置Ｐ２にある場合に、設定ダイヤル５１ｂ３の側面５１ｂ３ｅの一部が発光部２０の下方の空間（下方空間）１１ｂ２に面して露出していてもよい。
【００４２】
照明器具１００が上記のように構成されていることにより、発光部２０の下方の空間（下方空間）１１ｂ２から設定ダイヤル５１ｂ３の側面５１ｂ３ｅを指で容易に回すことができるので、設定作業を容易に行うことができる。
実施形態に係る照明器具１００においては、側面５１ｂ３ｅは、凹凸を有していてもよい。
【００４３】
照明器具１００が上記のように構成されていることにより、設定ダイヤル５１ｂ３を指で容易に回すことができる。
実施形態に係る照明器具１００においては、設定部３０は、明るさを検知する照度センサ５１ｃ１を有していてもよい。
照明器具１００が上記のように構成されていることにより、照度センサ５１ｃ１による検知結果を、発光部２０の点灯制御に利用することができる。
【００４４】
実施形態に係る照明器具１００においては、設定部３０は、赤外線を検知する赤外線センサ５１ｄ１を有していてもよい。
照明器具１００が上記のように構成されていることにより、赤外線センサ５１ｄ１による検知結果を、発光部２０の点灯制御に利用することができる。
実施形態に係る照明器具１００においては、設定部３０における前記選択された設定に基づいて、発光部２０の発光状態を制御する制御部（基板）５１ａを有していてもよい。
【００４５】
照明器具１００が上記のように構成されていることにより、設定部３０における前記選択された設定に基づいて、発光部２０の発光状態を制御することができる。
実施形態に係る照明器具１００においては、発光部２０及び設定部３０を保持する筐体１０を有し、筐体１０が天井に取り付けられてもよい。
照明器具１００が上記のように構成されていることにより、照明器具１００が所謂ダウンライトに用いられた場合においても、設定作業を容易に行うことができる。
【００４６】
実施形態に係る照明器具１００においては、発光部２０は、光源として半導体発光素子（光源モジュール）２１を有してもよい。
照明器具１００が上記のように構成されていることにより、光源にＬＥＤ等の半導体発光素子が用いられた照明器具においても、設定作業を容易に行うことができる。
≪変形例≫
以上、実施形態に基づいて説明したが、上記実施形態の構成に限られず、以下のような変形例を実施することができる。なお、以下に説明する変形例においては、実施形態に係る照明器具１００と同様の構成要素には同一の符号を付して、説明を適宜省略する。
【００４７】
実施形態に係る照明器具１００においては、設定部カバー３３が、設定部ケース本体３４から分離して取り外されることにより、設定ダイヤル５１ｂ３が露出し、設定作業可能となった。しかし、実施形態に係る照明器具１００の構成に限定されるものではなく、設定カバーが設定部ケース本体から分離して取り外されない構成としてもよい。
図１０（ａ）は、変形例に係る照明器具２００を斜め下から見た斜視図であって、設定部カバー２３３が通常位置Ｐ２０１に位置している状態を示す。図１０（ｂ）は、設定部カバー２３３が、通常位置Ｐ２０１から設定位置Ｐ２０２へと移動される途中の状態の照明器具２００の斜視図である。図１０（ｃ）は、設定部カバー２３３が設定位置Ｐ２０２に位置している状態の照明器具２００の斜視図である。照明器具２００においては、設定部カバー２３３が、スライドカバーになっており、設定部ケース本体２３４に接して通常位置と設定位置との間で移動可能に構成されている。設定部カバー２３３及び設定部ケース本体２３４により、設定部ケース２３５が構成される。
【００４８】
即ち、変形例に係る照明器具２００においては、設定部カバー２３３は、設定部ケース本体２３４に接して通常位置Ｐ１と設定位置Ｐ２との間で移動可能であってもよい。
照明器具２００が、上記のように構成されていることにより、設定部カバー２３３を、設定部ケース本体２３４から取り外さなくても設定作業を行うことができる。従って、設定作業の際に、取り外した設定部カバーの置き場に困ったり、取り外した設定部カバーを紛失したりする心配がない。
【符号の説明】
【００４９】
１０  筐体
１１ｂ２  下方空間（発光部の下方の空間）
２０  発光部
２１  光源モジュール（半導体発光素子）
２５ｂ  放射パネル（発光部の下端）
３０、２３０  設定部
３１、２３１  下面パネル（設定部の下端）
３２、２３２  側面パネル（設定部の側面）
３３、２３３  設定部カバー
３４、２３４  設定部ケース本体
３５、２３５  設定部ケース
５１ａ  制御部
５１ｂ２  回転軸
５１ｂ３  設定ダイヤル
５１ｂ３ｃ  下面
５１ｂ３ｄ  設定表示記号
５１ｂ３ｅ  側面（設定ダイヤルの側面）
５１ｃ１  照度センサ
５１ｄ１  赤外線センサ
Ｐ１、Ｐ２０１  通常位置
Ｐ２、Ｐ２０２  設定位置
【図１】
0006726866.tif 000002
【図２】
0006726866.tif 000003
【図３】
0006726866.tif 000004
【図４】
0006726866.tif 000005
【図５】
0006726866.tif 000006
【図６】
0006726866.tif 000007
【図７】
0006726866.tif 000008
【図８】
0006726866.tif 000009
【図９】
0006726866.tif 000010
【図１０】
0006726866.tif 000011